(57)【要約】【課題】水平型画面に画像を表示し、その画像を参加者が修正する場合において、参加者が修正した画像を水平型画面の向きに合わせて貼り付けることができる情報処理装置を提供する。【解決手段】情報処理装置の表示制御手段は、水平型画面に画像を表示するように制御し、検出手段は、参加者の位置を検出し、修正手段は、前記水平型画面上での参加者の操作にしたがって、画像を修正し、貼付手段は、前記参加者の位置に応じて、前記修正手段によって修正された画像を、前記水平型画面の向きに合わせて該水平型画面に貼り付ける。【選択図】図１
2020091617.tif 000002
【特許請求の範囲】
【請求項１】
水平型画面に画像を表示するように制御する表示制御手段と、
参加者の位置を検出する検出手段と、
前記水平型画面上での参加者の操作にしたがって、画像を修正する修正手段と、
前記参加者の位置に応じて、前記修正手段によって修正された画像を、前記水平型画面の向きに合わせて該水平型画面に貼り付ける貼付手段
を有する情報処理装置。
【請求項２】
前記貼付手段は、
前記画像の向きを検出する第２の検出手段と、
前記画像の向きを前記水平型画面の向きに合わせるように、該画像を回転する回転手段
を有する、
請求項１に記載の情報処理装置。
【請求項３】
前記第２の検出手段は、文字の書き込み方向によって、前記画像の向きを検出する、
請求項２に記載の情報処理装置。
【請求項４】
前記第２の検出手段は、文字の筆跡の方向を用いて、前記書き込み方向を検出する、
請求項３に記載の情報処理装置。
【請求項５】
前記第２の検出手段は、文字の書き順を用いて、前記書き込み方向を検出する、
請求項３に記載の情報処理装置。
【請求項６】
前記第２の検出手段は、一文字を判定し、文字が続く方向によって、前記画像の向きを検出する、
請求項２に記載の情報処理装置。
【請求項７】
前記第２の検出手段は、前記水平型画面に対する前記参加者の操作の位置に応じて、前記画像の向きを検出する、
請求項２に記載の情報処理装置。
【請求項８】
前記第２の検出手段は、さらに、前記画像の横の長さと縦の長さとの比較によって、該画像の向きを検出する、
請求項７に記載の情報処理装置。
【請求項９】
前記第２の検出手段は、さらに、前記画像の枠の生成操作によって、該画像の向きを検出する、
請求項７に記載の情報処理装置。
【請求項１０】
水平型画面に画像を表示するように制御する表示制御手段と、
前記水平型画面上での参加者の操作にしたがって、該水平型画面上に貼り付けられている画像のうち、修正対象となる画像を選択する選択手段と、
前記選択手段によって選択された画像を、該参加者の位置に移動する移動手段と、
前記選択手段によって選択された画像を、前記参加者が修正できるように回転する回転手段と、
前記水平型画面上での参加者の操作にしたがって、該水平型画面上に貼り付けられている画像を修正する修正手段
を有する情報処理装置。
【請求項１１】
前記回転手段は、前記移動手段による移動先にしたがって、前記画像を回転する、
請求項１０に記載の情報処理装置。
【請求項１２】
前記回転手段は、前記操作者の操作にしたがって、前記画像を回転する、
請求項１０に記載の情報処理装置。
【請求項１３】
前記移動手段は、前記操作者による回転の操作が終了した場合は、回転角度にしたがって前記画像を移動する、
請求項１２に記載の情報処理装置。
【請求項１４】
前記修正手段によって修正された画像を、前記水平型画面の向きに合わせて該水平型画面に貼り付ける貼付手段
をさらに有する請求項１０に記載の情報処理装置。
【請求項１５】
前記貼付手段は、前記画像を修正前の位置に貼り付ける、
請求項１４に記載の情報処理装置。
【請求項１６】
コンピュータを、
水平型画面に画像を表示するように制御する表示制御手段と、
参加者の位置を検出する検出手段と、
前記水平型画面上での参加者の操作にしたがって、画像を修正する修正手段と、
前記参加者の位置に応じて、前記修正手段によって修正された画像を、前記水平型画面の向きに合わせて該水平型画面に貼り付ける貼付手段
として機能させるための情報処理プログラム。
【請求項１７】
コンピュータを、
水平型画面に画像を表示するように制御する表示制御手段と、
前記水平型画面上での参加者の操作にしたがって、前記水平型画面上に貼り付けられている画像のうち、修正対象となる画像を選択する選択手段と、
前記選択手段によって選択された画像を、該参加者の位置に移動する移動手段と、
前記選択手段によって選択された画像を、前記参加者が修正できるように回転する回転手段と、
前記水平型画面上での参加者の操作にしたがって、前記水平型画面上に貼り付けられている画像を修正する修正手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、画像を用いた入力内容を容易に記録することができる仕組みを提供することを課題とし、画像を記憶する記憶装置と通信可能な情報処理装置であって、ユーザの操作に対応して、アノテーションと当該アノテーションを識別する識別情報とを前記画像上に追加するアノテーション追加手段と、前記アノテーション追加手段による追加がされる場合に、ユーザが任意入力できる入力欄に前記識別情報を含む入力情報を追加する入力情報追加手段とを備えることが開示されている。
【０００３】
特許文献２には、ネットワークを介して受信した画像データを領域毎に表示させたときに、ユーザが視線を向けた領域の画像データの邪魔にならず、ユーザが見易い適切な場所にＯＳＤを配置することを課題とし、表示装置は、表示部の画面を見るユーザを撮影するカメラと、撮影した撮影データを解析してユーザの位置および視線の方向を検出し、検出したユーザの位置および視線の方向に基づいて視線が到達する表示部の画面上の領域を決定し、決定した領域の画像データから特定部分（顔など）を抽出する画像検出部と、抽出した特定部分の位置に重ならないようにＯＳＤの表示位置を算出する表示位置算出部とを備え、表示部は、表示位置算出部で算出したＯＳＤの表示位置にＯＳＤを表示することが開示されている。
【先行技術文献】
【特許文献】
【０００４】
【特許文献１】特開２０１６−０７１８５７号公報
【特許文献２】特開２０１３−１２２５２９号公報
【発明の概要】
【発明が解決しようとする課題】
【０００５】
例えば、複数人による会合において、紙の台紙に付箋を貼り付ける作業が行われている。この作業を電子化した付箋システムでは、大画面上に台紙を表示し、その台紙に付箋を貼り付けることが行われている。また、この大画面は、一般的には床に対して垂直に置かれているのが一般的である。この場合、各参加者は所持している端末上で付箋を生成し、ファシリテーターが台紙上での付箋の貼り付け等をコントロールすることが行われている。一方、床に対して水平に表示された水平型画面を用いることも可能である。この場合、台紙上で付箋を生成することも可能である。ただし、参加者は台紙の周辺にいるので、生成した付箋の向きが台紙の向きと必ずしも一致するとは限らない。つまり、水平型画面（台紙）の向きと参加者の向きとが一致しない場合に、水平型画面上に表示した画像に対する操作がしにくい。
本発明は、水平型画面に画像を表示し、その画像を参加者が修正する場合において、参加者が修正した画像を水平型画面の向きに合わせて貼り付けることができる情報処理装置及び情報処理プログラムを提供することを目的としている。
【課題を解決するための手段】
【０００６】
かかる目的を達成するための本発明の要旨とするところは、次の各項の発明に存する。
請求項１の発明は、水平型画面に画像を表示するように制御する表示制御手段と、参加者の位置を検出する検出手段と、前記水平型画面上での参加者の操作にしたがって、画像を修正する修正手段と、前記参加者の位置に応じて、前記修正手段によって修正された画像を、前記水平型画面の向きに合わせて該水平型画面に貼り付ける貼付手段を有する情報処理装置である。
【０００７】
請求項２の発明は、前記貼付手段は、前記画像の向きを検出する第２の検出手段と、前記画像の向きを前記水平型画面の向きに合わせるように、該画像を回転する回転手段を有する、請求項１に記載の情報処理装置である。
【０００８】
請求項３の発明は、前記第２の検出手段は、文字の書き込み方向によって、前記画像の向きを検出する、請求項２に記載の情報処理装置である。
【０００９】
請求項４の発明は、前記第２の検出手段は、文字の筆跡の方向を用いて、前記書き込み方向を検出する、請求項３に記載の情報処理装置である。
【００１０】
請求項５の発明は、前記第２の検出手段は、文字の書き順を用いて、前記書き込み方向を検出する、請求項３に記載の情報処理装置である。
【００１１】
請求項６の発明は、前記第２の検出手段は、一文字を判定し、文字が続く方向によって、前記画像の向きを検出する、請求項２に記載の情報処理装置である。
【００１２】
請求項７の発明は、前記第２の検出手段は、前記水平型画面に対する前記参加者の操作の位置に応じて、前記画像の向きを検出する、請求項２に記載の情報処理装置である。
【００１３】
請求項８の発明は、前記第２の検出手段は、さらに、前記画像の横の長さと縦の長さとの比較によって、該画像の向きを検出する、請求項７に記載の情報処理装置である。
【００１４】
請求項９の発明は、前記第２の検出手段は、さらに、前記画像の枠の生成操作によって、該画像の向きを検出する、請求項７に記載の情報処理装置である。
【００１５】
請求項１０の発明は、水平型画面に画像を表示するように制御する表示制御手段と、前記水平型画面上での参加者の操作にしたがって、該水平型画面上に貼り付けられている画像のうち、修正対象となる画像を選択する選択手段と、前記選択手段によって選択された画像を、該参加者の位置に移動する移動手段と、前記選択手段によって選択された画像を、前記参加者が修正できるように回転する回転手段と、前記水平型画面上での参加者の操作にしたがって、該水平型画面上に貼り付けられている画像を修正する修正手段を有する情報処理装置である。
【００１６】
請求項１１の発明は、前記回転手段は、前記移動手段による移動先にしたがって、前記画像を回転する、請求項１０に記載の情報処理装置である。
【００１７】
請求項１２の発明は、前記回転手段は、前記操作者の操作にしたがって、前記画像を回転する、請求項１０に記載の情報処理装置である。
【００１８】
請求項１３の発明は、前記移動手段は、前記操作者による回転の操作が終了した場合は、回転角度にしたがって前記画像を移動する、請求項１２に記載の情報処理装置である。
【００１９】
請求項１４の発明は、前記修正手段によって修正された画像を、前記水平型画面の向きに合わせて該水平型画面に貼り付ける貼付手段をさらに有する請求項１０に記載の情報処理装置である。
【００２０】
請求項１５の発明は、前記貼付手段は、前記画像を修正前の位置に貼り付ける、請求項１４に記載の情報処理装置である。
【００２１】
請求項１６の発明は、コンピュータを、水平型画面に画像を表示するように制御する表示制御手段と、参加者の位置を検出する検出手段と、前記水平型画面上での参加者の操作にしたがって、画像を修正する修正手段と、前記参加者の位置に応じて、前記修正手段によって修正された画像を、前記水平型画面の向きに合わせて該水平型画面に貼り付ける貼付手段として機能させるための情報処理プログラムである。
【００２２】
請求項１７の発明は、コンピュータを、水平型画面に画像を表示するように制御する表示制御手段と、前記水平型画面上での参加者の操作にしたがって、前記水平型画面上に貼り付けられている画像のうち、修正対象となる画像を選択する選択手段と、前記選択手段によって選択された画像を、該参加者の位置に移動する移動手段と、前記選択手段によって選択された画像を、前記参加者が修正できるように回転する回転手段と、前記水平型画面上での参加者の操作にしたがって、前記水平型画面上に貼り付けられている画像を修正する修正手段として機能させるための情報処理プログラムである。
【発明の効果】
【００２３】
請求項１の情報処理装置によれば、水平型画面に画像を表示し、その画像を参加者が修正する場合において、参加者が修正した画像を水平型画面の向きに合わせて貼り付けることができる。
【００２４】
請求項２の情報処理装置によれば、画像の向きを水平型画面の向きに合わせることができる。
【００２５】
請求項３の情報処理装置によれば、画像の向きを検出するのに、文字の書き込み方向を用いることができる。
【００２６】
請求項４の情報処理装置によれば、書き込み方向を検出するのに、文字の筆跡の方向を用いることができる。
【００２７】
請求項５の情報処理装置によれば、書き込み方向を検出するのに、文字の書き順を用いることができる。
【００２８】
請求項６の情報処理装置によれば、画像の向きを検出するのに、文字が続く方向を用いることができる。
【００２９】
請求項７の情報処理装置によれば、画像の向きを検出するのに、水平型画面に対する参加者の操作の位置を用いることができる。
【００３０】
請求項８の情報処理装置によれば、画像の向きを検出するのに、画像の横の長さと縦の長さとの比較結果を用いることができる。
【００３１】
請求項９の情報処理装置によれば、画像の向きを検出するのに、画像の枠の生成操作を用いることができる。
【００３２】
請求項１０の情報処理装置によれば、水平型画面に画像を表示し、その画像を参加者が修正する場合において、参加者が修正した画像を水平型画面の向きに合わせて貼り付けることができる。
【００３３】
請求項１１の情報処理装置によれば、修正のための画像の移動先にしたがって、画像を回転することができる。
【００３４】
請求項１２の情報処理装置によれば、修正のための操作者の操作にしたがって、画像を回転することができる。
【００３５】
請求項１３の情報処理装置によれば、修正のための回転の操作が終了した場合は、回転角度にしたがって画像を移動することができる。
【００３６】
請求項１４の情報処理装置によれば、修正された画像を、水平型画面の向きに合わせてその水平型画面に貼り付けることができる。
【００３７】
請求項１５の情報処理装置によれば、修正された画像を修正前の位置に戻すことができる。
【００３８】
請求項１６の情報処理プログラムによれば、水平型画面に画像を表示し、その画像を参加者が修正する場合において、参加者が修正した画像を水平型画面の向きに合わせて貼り付けることができる。
【００３９】
請求項１７の情報処理プログラムによれば、水平型画面に画像を表示し、その画像を参加者が修正する場合において、参加者が修正した画像を水平型画面の向きに合わせて貼り付けることができる。
【図面の簡単な説明】
【００４０】
【図１】第１の実施の形態の構成例についての概念的なモジュール構成図である。
【図２】本実施の形態を利用したシステム構成例を示す説明図である。
【図３】会議室等において、本実施の形態で用いられる水平型画面の実現例を示す説明図である。
【図４】台紙情報テーブルのデータ構造例を示す説明図である。
【図５】付箋情報テーブルのデータ構造例を示す説明図である。
【図６】台紙内の辺の例を示す説明図である。
【図７】第１の実施の形態による処理例を示すフローチャートである。
【図８】第１の実施の形態による処理例を示す説明図である。
【図９】第１の実施の形態による処理例を示す説明図である。
【図１０】ストロークテーブルのデータ構造例を示す説明図である。
【図１１】台紙内の領域例を示す説明図である。
【図１２】第１の実施の形態による処理例を示す説明図である。
【図１３】第２の実施の形態の構成例についての概念的なモジュール構成図である。
【図１４】付箋情報テーブルのデータ構造例を示す説明図である。
【図１５】ログ管理テーブルのデータ構造例を示す説明図である。
【図１６】第２の実施の形態による処理例を示すフローチャートである。
【図１７】第２の実施の形態による処理例を示すフローチャートである。
【図１８】第２の実施の形態による処理例を示す説明図である。
【図１９】台紙内の領域例を示す説明図である。
【図２０】第２の実施の形態による処理例を示す説明図である。
【図２１】本実施の形態を実現するコンピュータのハードウェア構成例を示すブロック図である。
【発明を実施するための形態】
【００４１】
以下、図面に基づき本発明を実現するにあたっての好適な各種の実施の形態の例を説明する。
＜第１の実施の形態＞
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態（「本実施の形態」という場合は、第１の実施の形態、第２の実施の形態の両方を含む、以下、同様）におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスクドライブ、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００４２】
第１の実施の形態である情報処理装置１００は、水平型画面に表示された画像を参加者が修正できる機能を有しており、図１の例に示すように、表示装置１０５、表示制御モジュール１１０、台紙・付箋管理モジュール１２５、付箋生成モジュール１３０、貼付モジュール１３５を有している。例えば、電子的な付箋（画像の一例）と台紙を利用した電子付箋システム（電子白板等ともいわれる）に利用される。
「水平型画面」には、厳密な意味での水平である場合のほか、多少の傾きがあってもよい。つまり、画面の周囲を人が取り囲める程度の水平であればよい。例えば、図３の例を用いて後述するように、液晶ディスプレイ、有機ＥＬ（Ｅｌｅｃｔｒｏ−Ｌｕｍｉｎｅｓｃｅｎｃｅ）ディスプレイ等の表示装置がテーブルに組み込まれている形態であってもよいし（いわゆるテーブル型ディスプレイ）、水平面を有しているテーブル等（いわゆるスクリーン）に映像をプロジェクターが投影することによって水平型画面を生成する形態であってもよい。
また、参加者は、本実施の形態を用いて、複数人が集まって話し合う会議（会合、ワークショップ、アイデア抽出会、検討会、相談、議論、集会、ミーティング等を含む）を行う者である。
【００４３】
表示装置１０５は、表示制御モジュール１１０と接続されている。表示装置１０５は、水平型画面であって、表示制御モジュール１１０による制御にしたがって画像を表示する。水平型画面である表示装置１０５の周囲を複数人の参加者が取り囲んで用いられるため、大画面であることが好ましい。
【００４４】
表示制御モジュール１１０は、付箋表示制御モジュール１１５、台紙表示制御モジュール１２０を有しており、表示装置１０５、台紙・付箋管理モジュール１２５、貼付モジュール１３５と接続されている。表示制御モジュール１１０は、表示装置１０５における表示内容を制御する。例えば、水平型画面である表示装置１０５に台紙と付箋を表示するように制御する。
付箋表示制御モジュール１１５は、水平型画面である表示装置１０５に画像を表示するように制御する。
ここで「画像」は、水平型画面に表示されるものであって、内容は文字、図形、写真等の画像（映像）等を含む。以下、「画像」として「付箋（電子付箋）」を例示して説明する。また、「画像」を「付箋」とした場合、水平型画面には、台紙が表示されており、台紙の向きは水平型画面の向きである。したがって、「画像」を「付箋」とした場合、台紙の向きは、水平型画面の向きと同義としてもよい。なお、水平型画面の場合、水平型画面の向き（上、下、左、右等）は、任意である。例えば、参加者のうちリーダーが水平型画面の上方向を決める、多数の参加者がいる辺を水平型画面の下方向とする等のように決定されることがある。
台紙表示制御モジュール１２０は、水平型画面である表示装置１０５に台紙を表示するように制御する。
【００４５】
台紙・付箋管理モジュール１２５は、表示制御モジュール１１０、貼付モジュール１３５と接続されている。台紙・付箋管理モジュール１２５は、表示装置１０５に表示される台紙、画像を管理する。例えば、後述する台紙情報テーブル４００、付箋情報テーブル５００等を管理する。
付箋生成モジュール１３０は、貼付モジュール１３５と接続されている。付箋生成モジュール１３０は、水平型画面上での参加者の操作にしたがって、画像を修正する。
また、画像の生成は、参加者の操作に応じて新たに画像を生成することである。したがって、画像の生成には、カードゲーム（例えば、七並べ）のように、予め用意された画像（カードゲームの場合は、カード）を選択することは含まれない。
また、画像の修正には、画像の内容の修正（加筆、訂正、変更、改変、削除等）の他に、空白の画像に文字、図形等を書き込むことを含む。そのように、画像を生成する場合を含めるようにしてもよい。
【００４６】
貼付モジュール１３５は、検出モジュール１４０、回転モジュール１４５を有しており、表示制御モジュール１１０、台紙・付箋管理モジュール１２５、付箋生成モジュール１３０と接続されている。貼付モジュール１３５は、検出モジュール１４０によって検出された参加者の位置に応じて、付箋生成モジュール１３０によって修正された画像を、水平型画面の向きに合わせて、その水平型画面に貼り付ける。
【００４７】
検出モジュール１４０は、参加者の位置を検出する。例えば、カメラ等（例えば、赤外線センサーであってもよい）を用いて参加者を撮影して、水平型画面に対しての参加者の位置を検出してもよいし、参加者の指等が水平型画面の触れた位置を検出してもよい。例えば、水平型画面である表示装置１０５にタッチパネルを用いて、指等が触れた位置を検出すればよい。カメラ等を用いた場合、特に、手が動いている参加者の位置を検出するようにしてもよい。
【００４８】
また、検出モジュール１４０は、画像の向きを検出するようにしてもよい。
例えば、検出モジュール１４０は、文字の書き込み方向によって、画像の向きを検出するようにしてもよい。
また、検出モジュール１４０は、文字の筆跡の方向を用いて、書き込み方向を検出するようにしてもよい。
また、検出モジュール１４０は、文字の書き順を用いて、書き込み方向を検出するようにしてもよい。
また、検出モジュール１４０は、一文字を判定し、文字が続く方向によって、画像の向きを検出するようにしてもよい。
また、検出モジュール１４０は、水平型画面に対する参加者の操作の位置に応じて、画像の向きを検出するようにしてもよい。この場合、検出モジュール１４０は、さらに、画像の横の長さと縦の長さとの比較によって、その画像の向きを検出するようにしてもよい。また、この場合、検出モジュール１４０は、さらに、画像の枠の生成操作によって、その画像の向きを検出するようにしてもよい。
回転モジュール１４５は、検出モジュール１４０によって検出された画像の向きを台紙の向きに合わせるように、その画像を回転する。
【００４９】
例えば、画像として「付箋」を用い、水平型画面に台紙を表示した場合は、以下のように、各モジュールが処理を行うようにしてもよい。この場合、情報処理装置１００は、水平型画面に台紙と付箋を表示し、その台紙上で付箋を参加者が生成する場合において、参加者が生成した付箋を台紙の向きに合わせて貼り付けることができるようになる。
表示制御モジュール１１０は、水平型画面である表示装置１０５に台紙と付箋を表示するように制御する。
付箋生成モジュール１３０は、水平型画面である表示装置１０５上での参加者の操作にしたがって、付箋を生成する。
貼付モジュール１３５は、付箋生成モジュール１３０によって生成された付箋を、台紙の向きに合わせて、その台紙に貼り付ける。
なお、貼付モジュール１３５による貼り付け処理には、回転処理と移動処理があるが、回転処理については後述する。移動処理については、操作者の操作に応じて移動してもよいし（台紙上の任意の位置への移動）、予め定められた位置（例えば、新規付箋用に固定された領域、付箋の生成順に決められた位置等）に移動するようにしてもよい。
検出モジュール１４０は、付箋の向きを検出する。
回転モジュール１４５は、付箋の向きを台紙の向きに合わせるように、その付箋を回転する。
例えば、検出モジュール１４０は、文字の書き込み方向によって、付箋の向きを検出するようにしてもよい。
【００５０】
また、例えば、検出モジュール１４０は、文字の筆跡の方向を用いて、その書き込み方向を検出するようにしてもよい。
また、例えば、検出モジュール１４０は、文字の書き順を用いて、その書き込み方向を検出するようにしてもよい。
また、例えば、検出モジュール１４０は、一文字を判定し、文字が続く方向によって、付箋の向きを検出するようにしてもよい。
また、例えば、検出モジュール１４０は、参加者の操作の位置が、台紙のいずれの辺に近いかによって、付箋の向きを検出するようにしてもよい。
ここで「参加者の操作の位置が、前記台紙のいずれの辺に近いかによって、前記付箋の向きを検出する」ことの具体例として、以下のように行う。
（１）台紙の下辺に近い場合は、付箋の向きは台紙の向きと同じであり、回転は不要である。
（２）台紙の右辺に近い場合は、付箋の向きは台紙に対して２７０度（時計での９時方向）であり、回転は右に９０度である。
（３）台紙の上辺に近い場合は、付箋の向きは台紙の向きと逆であり、回転は１８０度である。
（４）台紙の左辺に近い場合は、付箋の向きは台紙に対して９０度（時計での３時方向）であり、回転は左に９０度である。
【００５１】
また、例えば、検出モジュール１４０は、さらに、付箋の横の長さと縦の長さとの比較によって、その付箋の向きを検出するようにしてもよい。
ここで「参加者の操作の位置が、台紙のいずれの辺に近いかによって、付箋の向きを検出する」ことにした場合、参加者の操作の位置が、台紙の四隅に近い場合は、台紙のいずれの辺に近いかを判断できない場合がある。例えば、参加者の操作の位置が、台紙の右下隅に近い場合は、台紙の右辺であるか、下辺であるかの判断がつかないことになる。この場合、付箋の横の長さと縦の長さとを比較して、付箋の向きを検出することを行う。具体的には、付箋は横長であることを前提としており、前述の例の場合、付箋の横の長さが縦の長さより長い場合は、台紙の下辺に近いと判断し、付箋の縦の長さが横の長さより長い場合は、台紙の右辺に近いと判断する。
さらに、文字の書き込み方向の判断を加えて、付箋の向きを検出するようにしてもよい。
【００５２】
また、例えば、検出モジュール１４０は、さらに、付箋の枠の生成操作によって、その付箋の向きを検出するようにしてもよい。
ここで「付箋の枠の生成操作によって、その付箋の向きを検出する」として、具体的には、付箋の枠を生成するのに、左上隅から右下隅を指定する順番と定めた場合に、以下のように判断する。
（１）台紙上でも左上から右下方向への指定となる場合は、台紙の下辺に近いと判断する。
（２）台紙上では左下から右上方向への指定となる場合は、台紙の右辺に近いと判断する。
（３）台紙上では右下から左上方向への指定となる場合は、台紙の上辺に近いと判断する。
（４）台紙上では右上から左下方向への指定となる場合は、台紙の左辺に近いと判断する。
【００５３】
図２は、本実施の形態を利用したシステム構成例を示す説明図である。
会議室２００Ａ内には、情報処理装置１００Ａが設置されており、参加者２１１Ａ、参加者２１２Ａ、参加者２１３Ａ、参加者２１４Ａ、参加者２１５Ａが在室しており、付箋を用いた会議を行っている。
会議室２００Ｂ内には、情報処理装置１００Ｂが設置されており、参加者２１１Ｂ、参加者２１２Ｂ、参加者２１３Ｂ、参加者２１４Ｂが在室しており、付箋を用いた会議を行っている。
会議室２００Ａ内の情報処理装置１００Ａ、会議室２００Ｂ内の情報処理装置１００Ｂ、台紙・付箋管理モジュール２５０は、通信回線２９０を介してそれぞれ接続されている。台紙・付箋管理モジュール２５０は、各会議（各グループであってもよい）における台紙、付箋を管理し、各情報処理装置１００の台紙・付箋管理モジュール１２５に、その会議に必要となる台紙、付箋を供給する。また、各会議での結果（会議終了時の台紙、付箋）を、記憶するようにしてもよい。通信回線２９０は、無線、有線、これらの組み合わせであってもよく、例えば、通信インフラとしてのインターネット、イントラネット等であってもよい。また、台紙・付箋管理モジュール２５０、情報処理装置１００による機能は、クラウドサービスとして実現してもよい。
【００５４】
なお、付箋システムを実現する場合に、台紙と付箋を表示する共有画面として、水平型画面と垂直型画面（従来の画面であり、ホワイトボードのように使用できる画面）がある。垂直型画面と異なり、水平型画面の場合、共有画面と参加者の距離が近く、参加者の立ち位置が定まりにくい。つまり、垂直型画面の場合、共有画面を操作できるのは主に１人（例えば、アンバサダー）であるが、水平型画面の場合、その水平型画面の周囲を複数人の参加者が取り囲み、参加者が直接に付箋の操作を行うことが多い。また、垂直型画面の場合、参加者は椅子に座って会議に参加するが、水平型画面の場合、その水平型画面の周囲を複数人の参加者が取り囲み、自由に移動できるようにしていることが多い。したがって、水平型画面において、参加者が水平型画面に直接書き込むことを行うようなユーザーインタフェースを採用した場合、水平型画面（台紙）の向きと書き込みの姿勢が異なってしまい、書き込みが行いにくいという事態が生じる。そこで、本実施の形態では、付箋の修正（生成を含む）にあって、参加者が付箋の内容を書きやすく、その付箋を台紙に貼り付ける場合には、台紙の向きに合わせるようにしている。
【００５５】
図３は、会議室等において、本実施の形態で用いられる水平型画面の実現例を示す説明図である。
図３（ａ）の例に示す表示装置内蔵テーブル３１０は、情報処理装置１００Ａを内蔵している。そして、表示装置内蔵テーブル３１０の上板に、液晶ディスプレイ等の表示装置１０５Ａ（電子ボードともいわれる）がはめ込まれており、水平型画面を構成する。表示装置１０５Ａは、台紙及び付箋を表示し、一般的に大画面の表示装置であり、その表示装置はタッチパネルであり、表示画面に触れられた位置、圧力等を検知する。例えば、画面として、８０インチ等の大きさを備えたものであってもよい。各参加者（参加者２１１Ａ等）は、表示装置１０５Ａ上で付箋を作成し、その付箋を表示装置１０５Ａに表示されている台紙に貼り付けることを行う。そして、参加者２１１Ａ等は、台紙上に貼り付けられた付箋を見て議論を行う。
【００５６】
また、図３（ｂ）の例に示す情報処理装置１００Ｂの表示装置１０５Ｂは、テーブル３２０に備え付けられたプロジェクターであって、テーブル３２０の上板はスクリーン３３０ともなっている。つまり、スクリーン３３０には、表示装置１０５Ｂによって映写された画像（台紙と付箋）が表示される。なお、表示装置１０５Ｂは、投写面であるスクリーン３３０に台形歪みができないように補正する機能を有している。また、表示装置１０５Ｂをテーブル３２０上ではなく、テーブル３２０の天井等に備え付けるようにしてもよい。
また、スクリーン３３０は、電子白板として、参加者２１１Ｂ等の指又はペン等の動きを検知して、付箋の貼り付け、移動等の操作を受け付けるものである。例えば、テーブル３２０にペンが備えられており、そのペンが予め定められたペン置きから離れたこと（参加者２１１Ｂが操作するためにペンを持ち上げたこと）、そしてペンの先端の位置（ペン先端がスクリーン３３０に触れたこと等）を検知することによって、台紙、付箋に対する操作を受け付ける。例えば、ペン置きにセンサー（ペンの重力でスイッチがオンオフとなるセンサー等）を設け、複数のペン（黒色のペン、赤色のペン、青色のペン等）のうち、どのペンが用いられているかを検知すればよい。また、スクリーン３３０がタッチセンサーであり、表示画面に触れられた位置、圧力等を検知すればよい。例えば、ペンのオンオフはペン置きによって制御してもよいし、必ずしもペン置きがある必要はなく、ペン側で直接オンオフを制御できるようにしてもよい。色の変更に関してもペン置きを必要とせずに、表示画面上の一部分にカラーパレットを用意しておき、目的の色をペン（又は、それに類するもの）がタッチすることで色を変更したり、ペンに色を変える指示をするための機能（ボタンやスライダ等）が備わっていたりしてもよい。
【００５７】
図４は、台紙情報テーブル４００のデータ構造例を示す説明図である。台紙情報テーブル４００は、台紙ＩＤ欄４１０、台紙名欄４１５、台紙パターンＩＤ欄４２０、作成日時欄４２５、作成者欄４３０を有している。台紙ＩＤ欄４１０は、第１の実施の形態において、台紙を一意に識別するための情報（台紙ＩＤ）を記憶している。台紙名欄４１５は、その台紙ＩＤの台紙の名前を記憶している。台紙パターンＩＤ欄４２０は、背景となる台紙パターンＩＤを記憶している。例えば、白紙のパターン、表形式のパターン、凡例用付箋毎に付箋の貼り付け領域を有するパターン等がある。作成日時欄４２５は、その台紙の作成日時（年、月、日、時、分、秒、秒以下、又はこれらの組み合わせであってもよい）を記憶している。作成者欄４３０は、その台紙の作成者を記憶している。台紙情報テーブル４００は、台紙・付箋管理モジュール１２５によって管理されている。
【００５８】
図５は、付箋情報テーブル５００のデータ構造例を示す説明図である。付箋情報テーブル５００は、付箋ＩＤ欄５１０、台紙ＩＤ欄５１２、貼付位置欄５１５、サイズ欄５２０、作成日時欄５２５、作成者欄５３０、貼付日時欄５３５、色欄５４０、枠線形状欄５４５、枠線色欄５５０、枠線太さ欄５５５、所属グループ欄５６０、内容種別欄５６５、内容欄５７０を有している。付箋ＩＤ欄５１０は、付箋を、本実施の形態において一意に識別するための情報（付箋ＩＤ）を記憶している。台紙ＩＤ欄５１２は、その付箋が貼り付けられている台紙の台紙ＩＤを記憶している。貼付位置欄５１５は、その付箋が貼り付けられる位置を記憶している。つまり、台紙上の貼り付け位置を記憶している。例えば、台紙のＸＹ座標系における座標である。サイズ欄５２０は、その付箋のサイズを記憶している。例えば、表示する付箋が矩形である場合は、幅と高さを記憶している。作成日時欄５２５は、その付箋が作成された日時を記憶している。作成者欄５３０は、その付箋の作成者（ユーザーＩＤ）を記憶している。又は、その付箋が作成された情報処理装置（情報処理装置１００の機器ＩＤ）を記憶してもよい。貼付日時欄５３５は、その付箋が台紙に貼り付けられた日時を記憶している。色欄５４０は、その付箋の表示色を記憶している。枠線形状欄５４５は、その付箋の表示における枠線の形状（実線、点線、破線、波線、二重線等）を記憶している。枠線色欄５５０は、その付箋の表示における枠線の色を記憶している。枠線太さ欄５５５は、その付箋の表示における枠線の太さを記憶している。所属グループ欄５６０は、その付箋が所属しているグループに関する情報を記憶している。例えば、その付箋がグループに属しているか否かを示す情報を記憶していてもよいし、グループに属している場合は、グループＩＤやそのグループに属している他の付箋ＩＤ等を記憶していてもよい。内容種別欄５６５は、その付箋の内容種別（テキスト情報、手書き文字又は図形等を示すベクトルデータ、音声情報、写真等の静止画像情報、動画情報等、又はこれらの組み合わせを示す情報）を記憶している。内容欄５７０は、その付箋に書き込まれている内容を記憶している。付箋情報テーブル５００は、台紙・付箋管理モジュール１２５によって管理されている。
【００５９】
図６は、台紙６００内の辺の例を示す説明図である。台紙６００は、上辺６１０、右辺６２０、下辺６３０、左辺６４０を有している。なお、台紙６００の各辺は、参加者２１１Ａ等（見る者）の位置によって、上下左右が定まるが、予め定められた辺を上辺として付箋内の文字を読めるように貼り付ける。また、上辺を会合途中で変更してもよい。つまり、台紙と付箋の回転を行ってもよい。
【００６０】
図７は、第１の実施の形態による処理例を示すフローチャートである。
ステップＳ７０２では、付箋の新規生成指示を受け付けたか否かを判断し、受け付けた場合はステップＳ７０４へ進み、それ以外の場合は受け付けるまで待機する。例えば、台紙６００を２回タップすること、台紙６００上でメニューを表示させ、「付箋の新規生成」コマンドを選択すること、台紙６００上で付箋の外枠を描画すること（後述する図１２の例参照）等の操作が該当する。
ステップＳ７０４では、付箋生成モジュール１３０は、参加者の操作にしたがって、付箋を生成する。例えば、内容が空白である付箋（中身のない付箋）を生成した後、その付箋の内容を記載する。
ステップＳ７０６では、検出モジュール１４０は、台紙に対しての付箋の向きを検出する。図８〜１２の例を用いて後述する。
ステップＳ７０８では、回転モジュール１４５は、台紙の向きに合わせて、付箋を回転する。
ステップＳ７１０では、貼付モジュール１３５は、付箋を台紙に貼り付ける。
【００６１】
図８は、第１の実施の形態による処理例を示す説明図である。
例えば、台紙６００には、付箋８５０Ａ、付箋８５０Ｂ、付箋８５０Ｃ、付箋８５０Ｄ、付箋８５０Ｅ、付箋８５０Ｆ、付箋８５０Ｇ、付箋８５０Ｈが貼り付けられている。
台紙６００の周囲には、参加者８０２、参加者８０４、参加者８０６、参加者８０８が集まり、会議が行われている。そして、各人が台紙６００に直接付箋を生成しようとしている。図８の例に示すように、各人がその向きで付箋を作成すると、下辺６３０側にいる参加者８０６が生成する新規付箋生成領域８６６は台紙６００の向きと合っているが、右辺６２０側にいる参加者８０４が生成する新規付箋生成領域８６４、上辺６１０側にいる参加者８０２が生成する新規付箋生成領域８６２、左辺６４０側にいる参加者８０８が生成する新規付箋生成領域８６８は、台紙６００の向きと異なっている。生成し終わった付箋をそのまま台紙６００に貼り付けることは望ましくない。そこで、参加者の位置又は参加者の操作に応じて、付箋の向きを検出して、その付箋を台紙６００に貼り付ける際に台紙６００の向きに合わせるように回転する。
【００６２】
図９は、第１の実施の形態による処理例を示す説明図である。
台紙６００上で、Ｘ軸９０２とＹ軸９０４による平面空間を定義する。参加者による付箋への書き込み方向（文字ではストローク（筆跡、例えば、文字の一画）、以下、ストロークを例示）を抽出する。例えば、参加者による付箋への書き込みデータは、ストロークテーブル１０００の形式で取得する。図１０は、ストロークテーブル１０００のデータ構造例を示す説明図である。ストロークテーブル１０００は、ストロークＩＤ欄１０１０、日時欄１０１５、始点Ｘ座標欄１０２０、始点Ｙ座標欄１０２５、終点Ｘ座標欄１０３０、終点Ｙ座標欄１０３５を有している。ストロークＩＤ欄１０１０は、第１の実施の形態において、ストロークを一意に識別するための情報（ストロークＩＤ）を記憶している。日時欄１０１５は、日時（年、月、日、時、分、秒、秒以下、又はこれらの組み合わせであってもよい）を記憶している。始点Ｘ座標欄１０２０は、始点におけるＸ座標（台紙６００での座標）を記憶している。始点Ｙ座標欄１０２５は、始点におけるＹ座標（台紙６００での座標）を記憶している。終点Ｘ座標欄１０３０は、終点におけるＸ座標（台紙６００での座標）を記憶している。終点Ｙ座標欄１０３５は、終点におけるＹ座標（台紙６００での座標）を記憶している。つまり、各ストロークは始点の座標と終点の座標によって規定される。
【００６３】
そして、そのストロークの向きの統計を算出する。一般的に、右向きのストローク、下向きのストロークが（左向き、上向きよりも）多くなるので、それを用いて各付箋におけるｘ軸、ｙ軸を算出する。つまり、上下左右の向きのうち数が多い向き（数が多い１位、２位の向き）を右向きのストローク、下向きのストロークとし、各付箋におけるｘ軸、ｙ軸を決定する。つまり、図８の例に示した新規付箋生成領域８６６では図９の例の下にあるｘ軸９３２、ｙ軸９３４となり、図８の例に示した新規付箋生成領域８６４では図９の例の右にあるｙ軸９２４、ｘ軸９２２となり、図８の例に示した新規付箋生成領域８６２では図９の例の上にあるｙ軸９１４、ｘ軸９１２となり、図８の例に示した新規付箋生成領域８６８では図９の例の左にあるｘ軸９４２、ｙ軸９４４となる。したがって、台紙６００に対して、新規付箋生成領域８６６は上向き、新規付箋生成領域８６４は右向き、新規付箋生成領域８６２は下向き、新規付箋生成領域８６８は左向き、となる。そして、生成が完了した付箋を台紙６００に貼り付ける場合に、台紙６００の向きに合わせるように、新規付箋生成領域８６６はそのまま（回転せずに、又は、０度の回転を行い）貼り付け、新規付箋生成領域８６４は右に９０度回転して貼り付け、新規付箋生成領域８６２は１８０度回転して貼り付け、新規付箋生成領域８６８は左に９０度回転して貼り付けを行う。
【００６４】
また、文字の書き順を用いて、書き込み方向を検出するようにしてもよい。例えば、交差する場合、左から右への横線を書き、上から下への縦線を書くのが一般的であり、これを用いて、交差するストロークがあった場合、最初のストロークは左から右と判定し、２番目のストロークは上から下と判定し、その付箋の向きを検出すればよい。
【００６５】
また、一文字を判定し、文字が続く方向によって、付箋の右向きを検出するようにしてもよい。「一文字を判定し、文字が続く方向」の判定は、オンライン文字認識技術を用いればよい。例えば、「一文字を判定」は、予め定められた領域（一文字分の領域）をはみ出た場合に一文字と判定してもよいし、書き込みが行われていない時間が予め定められた時間以上となった場合に一文字と判定してもよい。そして、前の文字を基準として後の文字の方向が、「文字が続く方向」となる。
【００６６】
図１１は、台紙６００内の領域例を示す説明図である。
付箋の内容が書かれた位置（つまり、検出された参加者の位置）だけで、付箋の向きを検出した場合は、台紙６００の４隅で付箋の向きの検出が困難となる。つまり、右上領域１１１５、右下領域１１２５、左下領域１１３５、左上領域１１４５では、上辺、右辺、下辺、左辺に固定することは付箋の向きを誤ることがあり得る。
そこで、台紙６００内を、上辺領域１１１０、右上領域１１１５、右辺領域１１２０、右下領域１１２５、下辺領域１１３０、左下領域１１３５、左辺領域１１４０、左上領域１１４５に分け、付箋が生成された位置が、上辺領域１１１０である場合は１８０度回転し、右辺領域１１２０である場合は右９０度回転し、下辺領域１１３０である場合は０度回転し、左辺領域１１４０である場合は左９０度回転する。そして、右上領域１１１５、右下領域１１２５、左下領域１１３５、左上領域１１４５である場合は、前述の付箋内の向きの検出をさらに用いて、右上領域１１１５の場合は下向きか右向きかを判定し、右下領域１１２５の場合は右向きか上向きかを判定し、左下領域１１３５の場合は上向きか左向きかを判定し、左上領域１１４５の場合は左向きか下向きかを判定すればよい。
また、右上領域１１１５、右下領域１１２５、左下領域１１３５、左上領域１１４５である場合は、生成された付箋の横の長さと縦の長さとの比較によって判定してもよい。付箋は一般的には、横長（ランドスケープ型ともいう）となる。そこで、生成された付箋の横（台紙６００の座標空間における横）の長さと縦（台紙６００の座標空間における縦）の長さとを比較し、長い方を横（台紙６００の座標空間における横）となるように回転するようにしてもよい。具体的には、右上領域１１１５で縦が長い場合は右９０度回転し、横が長い場合は１８０度回転し、右下領域１１２５で縦が長い場合は右９０度回転し、横が長い場合は０度回転し、左下領域１１３５で縦が長い場合は左９０度回転し、横が長い場合は０度回転し、左上領域１１４５で縦が長い場合は左９０度回転し、横が長い場合は１８０度回転すればよい。
【００６７】
図１２は、第１の実施の形態による処理例を示す説明図である。
付箋の外枠を生成する操作を示している。例えば、付箋の外枠を生成する操作として、付箋の左上を指定した後、右下を指定することとした場合、その外枠生成操作から付箋の向きを検出してもよい。例えば、新規付箋枠１２１４を生成するのに枠生成操作１２１２が行われた場合（台紙６００の平面空間において右下から左上への移動操作）は１８０度回転し、新規付箋枠１２２４を生成するのに枠生成操作１２２２が行われた場合（台紙６００の平面空間において左下から右上への移動操作）は右９０度回転し、新規付箋枠１２３４を生成するのに枠生成操作１２３２が行われた場合（台紙６００の平面空間において左上から右下への移動操作）は０度回転し、新規付箋枠１２４４を生成するのに枠生成操作１２４２が行われた場合（台紙６００の平面空間において右上から左下への移動操作）は左９０度回転すればよい。
なお、図１１の例に示した右上領域１１１５、右下領域１１２５、左下領域１１３５、左上領域１１４５の領域であった場合に、この判定処理を行うようにしてもよい。
また、外枠を生成する操作は、付箋の内容を書いた後であってもよいし、付箋の内容を書く前（つまり、外枠を生成した後に、付箋の内容を書く）であってもよい。
【００６８】
＜第２の実施の形態＞
図１３は、第２の実施の形態の構成例についての概念的なモジュール構成図である。
なお、第１の実施の形態と同種の部位には同一符号を付し重複した説明を省略する。
情報処理装置１３００は、表示装置１０５、表示制御モジュール１１０、台紙・付箋管理モジュール１２５、付箋生成モジュール１３０、貼付モジュール１３５、修正管理モジュール１３５０を有している。
表示装置１０５は、表示制御モジュール１１０と接続されている。
表示制御モジュール１１０は、付箋表示制御モジュール１１５、台紙表示制御モジュール１２０を有しており、表示装置１０５、台紙・付箋管理モジュール１２５、貼付モジュール１３５、修正管理モジュール１３５０と接続されている。表示制御モジュール１１０は、水平型画面である表示装置１０５に画像を表示するように制御する。
台紙・付箋管理モジュール１２５は、表示制御モジュール１１０、貼付モジュール１３５、修正管理モジュール１３５０と接続されている。
付箋生成モジュール１３０は、貼付モジュール１３５と接続されている。
貼付モジュール１３５は、検出モジュール１４０、回転モジュール１４５を有しており、表示制御モジュール１１０、台紙・付箋管理モジュール１２５、付箋生成モジュール１３０と接続されている。
【００６９】
修正管理モジュール１３５０は、選択モジュール１３５５、移動モジュール１３６０、回転モジュール１３６５、修正モジュール１３７０を有しており、表示制御モジュール１１０、台紙・付箋管理モジュール１２５と接続されている。
選択モジュール１３５５は、水平型画面上での参加者の操作にしたがって、その水平型画面上に貼り付けられている画像のうち、修正対象となる画像を選択する。
移動モジュール１３６０は、選択モジュール１３５５によって選択された画像を、その参加者の位置に移動する。
また、移動モジュール１３６０は、操作者による回転の操作が終了した場合は、回転角度にしたがって画像を移動するようにしてもよい。
【００７０】
回転モジュール１３６５は、選択モジュール１３５５によって選択された画像を、参加者が修正できるように回転する。
また、回転モジュール１３６５は、移動モジュール１３６０による移動先にしたがって、画像を回転するようにしてもよい。
また、回転モジュール１３６５は、操作者の操作にしたがって、画像を回転するようにしてもよい。
修正モジュール１３７０は、水平型画面上での参加者の操作にしたがって、その水平型画面上に貼り付けられている画像を修正する。
そして、貼付モジュール１３５は、修正モジュール１３７０によって修正された画像を、水平型画面の向きに合わせて、その水平型画面に貼り付けるようにしてもよい。
また、貼付モジュール１３５は、画像を修正前の位置に貼り付けるようにしてもよい。
【００７１】
例えば、画像として「付箋」を用い、水平型画面に台紙を表示した場合は、以下のように、各モジュールが処理を行うようにしてもよい。
表示制御モジュール１１０は、水平型画面である表示装置１０５に台紙と付箋を表示するように制御する。
選択モジュール１３５５は、水平型画面上での参加者の操作にしたがって、台紙上に貼り付けられている付箋のうち、修正対象となる付箋を選択する。
移動モジュール１３６０は、選択モジュール１３５５によって選択された付箋を、その参加者の位置に移動する。
【００７２】
回転モジュール１３６５は、選択モジュール１３５５によって選択された付箋を、参加者が修正できるように回転する。
また、例えば、回転モジュール１３６５は、移動モジュール１３６０による移動先にしたがって、付箋を回転するようにしてもよい。
例えば、以下のような処理を行う。
（１）移動先が台紙の下辺である場合、付箋は回転する必要がない（０度の回転を行う、と捉えてもよい）。
（２）移動先が台紙の右辺である場合、左９０度の回転を行う。
（３）移動先が台紙の上辺である場合、１８０度の回転を行う。
（４）移動先が台紙の左辺である場合、右９０度の回転を行う。
【００７３】
また、例えば、回転モジュール１３６５は、操作者の操作にしたがって、付箋を回転するようにしてもよい。
例えば、付箋をクリックする毎に９０度の回転を行うようにし、その回転が終了した時点（例えば、操作のない時間が予め定められた時間を超過した時点、又は、回転終了ボタンを表示し、その回転終了ボタンが選択された時点等）で、付箋を正立の方向となる辺に移動してもよい。
そして、移動モジュール１３６０は、操作者による回転の操作が終了した場合は、回転角度にしたがって付箋を移動するようにしてもよい。
【００７４】
修正モジュール１３７０は、水平型画面上での参加者の操作にしたがって、台紙上に貼り付けられている付箋を修正する。
なお、修正の対象となる付箋が、参加者の操作で選択された後は、移動モジュール１３６０による移動処理、回転モジュール１３６５による回転処理は、いずれを先に行ってもよい。例えば、回転処理に先立って、参加者が移動の操作を行う場合は、回転処理を自動的に行う（操作者の操作不要で回転処理を行う）ようにしてもよい。また、移動処理に先立って、参加者が回転の操作を行う場合は、移動処理を自動的に行う（操作者の操作不要で移動処理を行う）ようにしてもよい。
【００７５】
貼付モジュール１３５は、修正モジュール１３７０によって修正された付箋を、台紙の向きに合わせて、その台紙に貼り付ける。
そして、貼付モジュール１３５は、付箋を修正前の位置に貼り付けるようにしてもよい。
【００７６】
図１４は、付箋情報テーブル１４００のデータ構造例を示す説明図である。付箋情報テーブル１４００は、付箋ＩＤ欄１４１０、台紙ＩＤ欄１４１２、貼付位置欄１４１５、サイズ欄１４２０、作成日時欄１４２５、作成者欄１４３０、貼付日時欄１４３５、色欄１４４０、枠線形状欄１４４５、枠線色欄１４５０、枠線太さ欄１４５５、所属グループ欄１４６０、内容種別欄１４６５、内容欄１４７０、ログＩＤ欄１４７５を有している。つまり、図５の例に示した付箋情報テーブル５００にログＩＤ欄１４７５を付加したものである。ログＩＤ欄１４７５は、第２の実施の形態において、ログを一意に識別するための情報（ログＩＤ）を記憶している。このログＩＤは、例えば、ログ管理テーブル１５００を差し示している。付箋情報テーブル１４００は、台紙・付箋管理モジュール１２５によって管理されている。
【００７７】
図１５は、ログ管理テーブル１５００のデータ構造例を示す説明図である。ログ管理テーブル１５００は、ログＩＤ欄１５１０、付箋ＩＤ欄１５１５、修正日時欄１５２０、修正者欄１５２５、修正内容欄１５３０を有している。ログＩＤ欄１５１０は、ログＩＤを記憶している。付箋ＩＤ欄１５１５は、付箋ＩＤを記憶している。修正日時欄１５２０は、その付箋に対して参加者の操作によって修正が行われた日時を記憶している。修正者欄１５２５は、その修正を行った参加者（ユーザーＩＤ）を記憶している。修正内容欄１５３０は、その修正の内容を記憶している。ログ管理テーブル１５００は、台紙・付箋管理モジュール１２５によって管理されている。
【００７８】
図１６は、第２の実施の形態による処理例を示すフローチャートである。
ステップＳ１６０２では、参加者の操作によって、修正対象である付箋の選択操作があったか否かを判断し、あった場合はステップＳ１６０４へ進み、それ以外の場合は選択操作があるまで待機する。
ステップＳ１６０４では、付箋の移動・回転処理を行う。ステップＳ１６０４の詳細な処理については、図１７の例に示すフローチャートを用いて後述する。
ステップＳ１６０６では、参加者の操作にしたがって、付箋を修正する。
ステップＳ１６０８では、修正後の付箋を台紙に貼り付ける。
【００７９】
図１７は、第２の実施の形態による処理例を示すフローチャートである。
ステップＳ１７０２では、対象となった付箋に回転操作ボタンを表示する。例えば、図１８に示す表示を行う。図１８は、第２の実施の形態による処理例を示す説明図である。付箋１８００の上部に回転操作ボタン１８５０を表示する。この時点で、（１）回転操作ボタン１８５０を操作して、付箋１８００を回転させること、（２）付箋１８００自身を移動させることが可能である。もちろんのことながら、回転操作ボタン１８５０は、付箋１８００の上部でなく、右辺部、下部、左辺部の他、重複させて表示してもよい。もちろんのことながら、付箋の向きは、台紙の向きと一致している。例えば、回転操作ボタン１８５０が選択（クリック）される毎に右９０度の回転を行う。参加者は、自分にとっての正立方向になるように（参加者が付箋１８００を修正しやすいように）回転操作を行うようにしてもよい。
【００８０】
ステップＳ１７０４では、操作を判断し、「回転ボタンの操作」の場合はステップＳ１７０６へ進み、「移動操作」の場合はステップＳ１７１０へ進む。
ステップＳ１７０６では、回転ボタンの操作にしたがって、付箋を回転する。
ステップＳ１７０８では、回転角度に合わせて、台紙の辺付近の領域に付箋を移動する。図１９は、台紙１９００内の領域例を示す説明図である。台紙１９００は、上辺領域１９１０、右辺領域１９２０、下辺領域１９３０、左辺領域１９４０を有している。例えば、左９０度の回転が行われた場合は右辺領域１９２０にその付箋を移動し、右９０度の回転が行われた場合は左辺領域１９４０にその付箋を移動し、１８０度の回転が行われた場合は上辺領域１９１０にその付箋を移動し、０度の回転が行われた場合は下辺領域１９３０にその付箋を移動する。
【００８１】
ステップＳ１７１０では、移動操作にしたがって、付箋を移動する。
ステップＳ１７１２では、移動先の台紙の辺に合わせて、付箋を回転する。例えば、右辺領域１９２０にその付箋が移動された場合は左９０度の回転を行い、左辺領域１９４０にその付箋が移動された場合は右９０度の回転を行い、上辺領域１９１０にその付箋が移動された場合は１８０度の回転を行い、下辺領域１９３０にその付箋が移動された場合は０度の回転を行う。
【００８２】
図２０は、第２の実施の形態による処理例を示す説明図である。
（１）図１７の例に示すフローチャートのステップＳ１７０４で「回転ボタンの操作」があった場合の具体的処理例を示す。
ステップＳ２００２Ａでは、参加者２００８によって付箋１８００が選択されたことを検知した場合、回転操作ボタン１８５０を表示する。
ステップＳ２００４Ａでは、参加者２００８によって回転操作ボタン１８５０が操作される。その回転角度にしたがって付箋１８００の回転処理を行う。図２０の例の場合、右９０度の回転が行われる。
ステップＳ２００６Ａでは、回転角度にしたがって、付箋１８００の移動処理を行う。図２０の例の場合、右９０度の回転が行われているので、自動的に付箋１８００を台紙１９００の左辺領域１９４０に移動する。
ステップＳ２００８Ａでは、参加者２００８によって付箋２０５０（回転、移動された付箋１８００）の内容が修正される。図２０の例では、付箋に「ふせん」と書かれた内容を「ぶぜん」と書き換えられている。
ステップＳ２０１０Ａでは、修正の終了が検知された場合は、付箋２０５０を回転（ステップＳ２００４Ａでの回転とは逆回転である左９０度の回転）し、元の付箋１８００（図２０の例では付箋２０９０）の位置に移動する。
【００８３】
（２）図１７の例に示すフローチャートのステップＳ１７０４で「移動操作」があった場合の具体的処理例を示す。
ステップＳ２００２Ｂでは、参加者２００８によって付箋１８００が選択されたことを検知した場合、回転操作ボタン１８５０を表示する。
ステップＳ２００４Ｂでは、参加者２００８によって付箋１８００の移動操作が行われる。その移動方向にしたがって付箋１８００の回転処理を行う。図２０の例の場合台紙１９００の左辺領域１９４０に移動されているので、自動的に付箋１８００を右９０度の回転を行う。
ステップＳ２００６Ｂでは、参加者２００８によって付箋２０５０（回転、移動された付箋１８００）の内容が修正される。図２０の例では、付箋に「ふせん」と書かれた内容を「ぶぜん」と書き換えられている。
ステップＳ２００８Ｂでは、修正の終了が検知された場合は、付箋２０５０を回転（ステップＳ２００４Ｂでの回転とは逆回転である左９０度の回転）し、元の付箋１８００（図２０の例では付箋２０９０）の位置に移動する。
【００８４】
なお、本実施の形態としてのプログラムが実行されるコンピュータのハードウェア構成は、図２１に例示するように、一般的なコンピュータであり、具体的にはパーソナルコンピュータ、サーバーとなり得るコンピュータ等である。つまり、具体例として、処理部（演算部）としてＣＰＵ２１０１を用い、記憶装置としてＲＡＭ２１０２、ＲＯＭ２１０３、ＨＤＤ２１０４を用いている。ＨＤＤ２１０４として、例えば、ＨＤＤ（Ｈａｒｄ  Ｄｉｓｋ  Ｄｒｉｖｅ）、フラッシュ・メモリであるＳＳＤ（Ｓｏｌｉｄ  Ｓｔａｔｅ  Ｄｒｉｖｅ）等を用いてもよい。表示装置１０５、表示制御モジュール１１０、付箋表示制御モジュール１１５、台紙表示制御モジュール１２０、台紙・付箋管理モジュール１２５、付箋生成モジュール１３０、貼付モジュール１３５、検出モジュール１４０、回転モジュール１４５、修正管理モジュール１３５０、選択モジュール１３５５、移動モジュール１３６０、回転モジュール１３６５、修正モジュール１３７０等のプログラムを実行するＣＰＵ２１０１と、そのプログラムやデータを記憶するＲＡＭ２１０２と、本コンピュータを起動するためのプログラム等が格納されているＲＯＭ２１０３と、台紙情報テーブル４００、付箋情報テーブル５００、ストロークテーブル１０００、付箋情報テーブル１４００、ログ管理テーブル１５００等を記憶する補助記憶装置であるＨＤＤ２１０４と、タッチスクリーン、マイク、カメラ（視線検知カメラ等を含む）等（また、キーボード、マウス等を含めてもよい）に対する利用者の操作（動作、音声、視線等を含む）に基づいてデータを受け付ける受付装置２１０６と、ＣＲＴ、液晶ディスプレイ、スピーカー等の出力装置２１０５と、ネットワークインタフェースカード等の通信ネットワークと接続するための通信回線インタフェース２１０７、そして、それらをつないでデータのやりとりをするためのバス２１０８により構成されている。これらのコンピュータが複数台互いにネットワークによって接続されていてもよい。
【００８５】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図２１に示すハードウェア構成は、１つの構成例を示すものであり、本実施の形態は、図２１に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）や再構成可能な集積回路（ｆｉｅｌｄ−ｐｒｏｇｒａｍｍａｂｌｅ  ｇａｔｅ  ａｒｒａｙ：ＦＰＧＡ）等）で構成してもよく、一部のモジュールは外部のシステム内にあり通信回線で接続している形態でもよく、さらに図２１に示すシステムが複数互いに通信回線によって接続されていて互いに協調動作するようにしてもよい。また、特に、パーソナルコンピュータの他、携帯情報通信機器（携帯電話、スマートフォン、モバイル機器、ウェアラブルコンピュータ等を含む）、情報家電、ロボット、複写機、ファックス、スキャナ、プリンタ、複合機（スキャナ、プリンタ、複写機、ファックス等のいずれか２つ以上の機能を有している画像処理装置）などに組み込まれていてもよい。
【００８６】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００８７】
１００…情報処理装置
１０５…表示装置
１１０…表示制御モジュール
１１５…付箋表示制御モジュール
１２０…台紙表示制御モジュール
１２５…台紙・付箋管理モジュール
１３０…付箋生成モジュール
１３５…貼付モジュール
１４０…検出モジュール
１４５…回転モジュール
２００…会議室
２１１…参加者
２５０…台紙・付箋管理モジュール
２９０…通信回線
３３０…スクリーン
６００…台紙
１３００…情報処理装置
１３５０…修正管理モジュール
１３５５…選択モジュール
１３６０…移動モジュール
１３６５…回転モジュール
１３７０…修正モジュール
１８００…付箋
【図１】
2020091617.tif 000003
【図２】
2020091617.tif 000004
【図３】
2020091617.tif 000005
【図４】
2020091617.tif 000006
【図５】
2020091617.tif 000007
【図６】
2020091617.tif 000008
【図７】
2020091617.tif 000009
【図８】
2020091617.tif 000010
【図９】
2020091617.tif 000011
【図１０】
2020091617.tif 000012
【図１１】
2020091617.tif 000013
【図１２】
2020091617.tif 000014
【図１３】
2020091617.tif 000015
【図１４】
2020091617.tif 000016
【図１５】
2020091617.tif 000017
【図１６】
2020091617.tif 000018
【図１７】
2020091617.tif 000019
【図１８】
2020091617.tif 000020
【図１９】
2020091617.tif 000021
【図２０】
2020091617.tif 000022
【図２１】
2020091617.tif 000023